(57)【要約】  【課題】  起動操作が行われたことをユーザに認識させることができ、ユーザによる誤操作を防止可能な表示装置を提供する。  【解決手段】  液晶パネル（表示部）２を備えた表示装置において、主電源回路（電源部）７をオン／オフ操作する電源ボタン（操作部）６と、主電源回路７のオン操作が電源ボタン６を介して指示されたときに、液晶パネル２が起動操作されたことを外部に通知する音声ＩＣ（通知部）８及びスピーカ（通知部）９を設ける。【選択図】  図１
2007058063.tif 000002
【特許請求の範囲】
【請求項１】
フラットな表示部を備えた表示装置であって、
電源部と、
前記電源部をオン／オフ操作する操作部と、
前記電源部のオン操作が前記操作部を介して指示されたときに、前記表示部が起動操作されたことを外部に通知する通知部と
を備えていることを特徴とする表示装置。
【請求項２】
前記操作部は、前記電源部を遠隔操作可能なリモートコントローラを備えるとともに、
前記通知部は、前記電源部のオン操作が前記リモートコントローラを介して指示されたときに、前記表示部が起動操作されたことを外部に通知する請求項１に記載の表示装置。
【請求項３】
前記通知部が、前記リモートコントローラに設けられている請求項２に記載の表示装置。
【請求項４】
前記通知部は、前記電源部のオフ操作が前記操作部を介して指示されたときに、前記表示部が停止操作されたことを外部に通知する請求項１〜３のいずれか１項に記載の表示装置。
【請求項５】
前記電源部の動作状態を検出する検出部を備えるとともに、
前記通知部は、前記検出部の検出結果を基に前記表示部の動作状態を外部に通知する請求項１〜４のいずれか１項に記載の表示装置。
【請求項６】
前記通知部は、音声出力部を含む請求項１〜５のいずれか１項に記載の表示装置。
【請求項７】
前記音声出力部で出力される音声データを記憶する記憶部と、
前記記憶部に対して音声データを登録する登録部を備えている請求項６に記載の表示装置。
【請求項８】
前記音声出力部は、ＣＲＴのオン動作時と同様の音を出力する請求項６または７に記載の表示装置。
【請求項９】
前記通知部は、振動部を含む請求項１〜８のいずれか１項に記載の表示装置。
【請求項１０】
前記通知部での通知動作を設定する設定部が設けられている請求項１〜９のいずれか１項に記載の表示装置。
【請求項１１】
前記表示部には、液晶パネル、プラズマディスプレイパネル、表面電界ディスプレイパネル、エレクトロルミネンスパネル、及びプロジェクションパネルのいずれかのパネルが用いられている請求項１〜１０のいずれか１項に記載の表示装置。
【発明の詳細な説明】
【技術分野】
【０００１】
本発明は、液晶パネル等のフラットな表示部を有するフラットパネル型の表示装置に関する。
【背景技術】
【０００２】
近年、例えば家庭用テレビでは、在来のブラウン管を用いたＣＲＴディスプレイに比べて、薄型、軽量等の多くの特長を有するフラットな表示部を備えたフラットパネル型の表示装置が主流になりつつある。このようなフラットパネル型の表示装置には、例えば下記特許文献１に記載されているように、上記表示部を液晶パネルにて構成した液晶表示装置がある。
【特許文献１】特開２００５−１５８７０７号公報
【発明の開示】
【発明が解決しようとする課題】
【０００３】
ところが、上記のような従来のフラットパネル型の表示装置では、その始動時にユーザによるオン／オフ操作が繰り返し行われることがあり、表示部の起動（点灯）動作を正常に行えないことがあった。
【０００４】
具体的にいえば、従来のフラットパネル型の表示装置では、ユーザがスイッチ（操作部）をオン状態に操作することにより、電源部からの電力供給が行われる。そして、従来のフラットパネル型の表示装置では、ＣＲＴディスプレイとは異なり、表示部がほぼ無音で点灯動作し当該表示装置は始動する。すなわち、ＣＲＴディスプレイでは、その始動直後に、電子管（電子銃）固有の駆動音などがユーザに聞こえ、ユーザはブラウン管（表示部）が点灯したことを感知することができた。
【０００５】
一方、従来のフラットパネル型の表示装置では、上記液晶パネル（表示部）及び当該液晶パネルに照明光を照射する照明装置（バックライト）に電力供給が行われることにより、表示部は駆動されて始動音などを発生することなく点灯する。しかるに、上記照明装置には、一般的に、上記電子銃に比べ起動（立ち上がり）特性に劣る安定器が含まれており、当該安定器が安定動作するまでに時間を要する。このため、従来のフラットパネル型の表示装置では、所定輝度の照明光を安定した状態で液晶パネル側に出射するまでに若干の時間を必要とする。さらには、所定輝度に達していない照明光で液晶パネル上に表示品位の低い画像が表示されるのを防ぐために、電源部からの電力供給が開始された時点（ユーザによるオン操作の開始された時点）から所定の時間が経過するまで液晶パネルを敢えて点灯させない構成とされていることがある。その結果、従来のフラットパネル型の表示装置では、表示面が点灯するまでの時間がＣＲＴディスプレイのものより長い時間を要し、ほぼ無音で点灯動作する点とも相まって、ユーザは表示面が起動していないと誤って判断することがあった。そして、この場合、ユーザがオン操作を行うつもりで再度操作部を操作することによってオフ状態にされ、表示面が消されて点灯動作が正常に行われなかった。
【０００６】
特に、ＣＲＴディスプレイに慣れたユーザが従来のフラットパネル型の表示装置に替えた場合、当該従来のフラットパネル型の表示装置では、ユーザの誤判断及び誤操作を防ぐことができずに、表示面の正常な点灯動作を行い難いことがあった。
【０００７】
上記の課題を鑑み、本発明は、起動操作が行われたことをユーザに認識させることができ、ユーザによる誤操作を防止可能な表示装置を提供することを目的とする。
【課題を解決するための手段】
【０００８】
上記の目的を達成するために、本発明にかかる表示装置は、フラットな表示部を備えた表示装置であって、
電源部と、
前記電源部をオン／オフ操作する操作部と、
前記電源部のオン操作が前記操作部を介して指示されたときに、前記表示部が起動操作されたことを外部に通知する通知部とを備えていることを特徴とするものである。
【０００９】
上記のように構成された表示装置では、通知部が電源部のオン操作が操作部を介して指示されたときに、表示部が起動操作されたことを外部に通知している。これにより、起動操作が行われたことをユーザに即座に認識させることができる。この結果、上記従来例と異なり、操作部に対するオン／オフ操作が繰り返し行われるのを防ぐことができ、ユーザによる誤操作を防止することが可能となる。
【００１０】
また、上記表示装置において、前記操作部は、前記電源部を遠隔操作可能なリモートコントローラを備えるとともに、
前記通知部は、前記電源部のオン操作が前記リモートコントローラを介して指示されたときに、前記表示部が起動操作されたことを外部に通知してもよい。
【００１１】
この場合、上記リモートコントローラによって電源部に対するオン操作が指示されたときに、通知部により、表示部に対する起動操作の実施が外部に通知されるので、起動操作が行われたことをユーザに即座に認識させて、ユーザによる誤操作を防ぐことができる。
【００１２】
また、上記表示装置において、前記通知部が、前記リモートコントローラに設けられていることが好ましい。
【００１３】
この場合、通知部がユーザのより近くに配置されることとなり、ユーザが表示装置から離れているときでも、起動操作が行われたことをユーザに確実に認識させて、ユーザの誤操作をさらに未然に防ぐことができる。
【００１４】
また、上記表示装置において、前記通知部は、前記電源部のオフ操作が前記操作部を介して指示されたときに、前記表示部が停止操作されたことを外部に通知することが好ましい。
【００１５】
この場合、電源部に対するオフ操作が指示されたときに、通知部により、表示部に対する停止操作の実施が外部に通知されるので、停止操作が行われたことをユーザに即座に認識させて、ユーザによる誤操作を防ぐことができる。
【００１６】
また、上記表示装置において、前記電源部の動作状態を検出する検出部を備えるとともに、
前記通知部は、前記検出部の検出結果を基に前記表示部の動作状態を外部に通知してもよい。
【００１７】
この場合、通知部が検出部で検出された電源部の動作状態を外部に通知するので、表示部での実際の動作状況（起動動作または停止動作）をユーザに認識させて、ユーザによる誤操作をさらに確実に防ぐことができる。
【００１８】
また、上記表示装置において、前記通知部は、音声出力部を含んでもよい。
【００１９】
この場合、音声出力部が音声を出力することにより、通知部は表示面が起動操作されたことを外部に通知し、起動操作が行われたことをユーザに認識させることができる。
【００２０】
また、上記表示装置において、前記音声出力部で出力される音声データを記憶する記憶部と、
前記記憶部に対して音声データを登録する登録部を備えていることが好ましい。
【００２１】
この場合、登録部を介在させてユーザが嗜好する音声データを記憶部に記憶させることが可能となり、通知部はユーザが嗜好する音声データを用いて、起動操作が行われたことをユーザに認識させることができる。
【００２２】
また、上記表示装置において、前記音声出力部は、ＣＲＴのオン動作時と同様の音を出力してもよい。
【００２３】
この場合、ＣＲＴディスプレイに慣れたユーザに対しても、上記フラットな表示部に対する起動操作が行われたことを当該ユーザに即座に認識させて、ユーザによる誤操作を防ぐことができる。
【００２４】
また、上記表示装置において、前記通知部は、振動部を含むことが好ましい。
【００２５】
この場合、通知部は振動部を振動動作させることにより、表示面が起動操作されたことを外部に通知することができる。また、振動部の振動動作を用いているので、通知部はユーザに対し聴覚的だけでなく、視覚的、触覚的に感知させることが可能となり、起動操作の実施をユーザにより確実に認識させることができる。
【００２６】
また、上記表示装置において、前記通知部での通知動作を設定する設定部が設けられてもよい。
【００２７】
この場合、ユーザは設定部を用いることにより通知部での通知動作を選択し変更することが可能となり、ユーザが好む通知動作にて起動操作が行われたことをユーザに認識させることができる。
【００２８】
また、上記表示装置において、前記表示部には、液晶パネル、プラズマディスプレイパネル、表面電界ディスプレイパネル、エレクトロルミネンスパネル、及びプロジェクションパネルのいずれかのパネルが用いられてもよい。
【００２９】
この場合、上記液晶パネルなどのいずれかのパネルが表示部に用いられた表示装置において、当該表示部の起動操作が行われたことをユーザに認識させて、ユーザの誤判断による誤操作を防止することができる。
【発明の効果】
【００３０】
本発明によれば、起動操作が行われたことをユーザに認識させることができ、ユーザによる誤操作を防止可能な表示装置を提供することが可能となる。
【発明を実施するための最良の形態】
【００３１】
以下、本発明の表示装置の好ましい実施形態について、図面を参照しながら説明する。尚、以下の説明では、本発明を液晶表示装置に適用した場合を例示して説明する。
【００３２】
［第１の実施形態］
図１は、本発明の第１の実施形態にかかる表示装置の要部構成を説明する図である。図１において、本実施形態の液晶表示装置１は、装置本体側に設けられた液晶パネル２、制御部３、記憶部４、受信部５、電源ボタン６、主電源回路７、音声ＩＣ８、スピーカ９、及び設定登録部１０と、装置本体と分離可能に構成されたリモートコントローラ１１とを備えている。そして、この液晶表示装置１では、操作部に含まれたリモートコントローラ１１を用いることにより、ユーザは上記装置本体側の各部の駆動制御を遠隔操作にて行えるようになっている。
【００３３】
液晶パネル２は、フラットな表示部（フラットパネル）を構成しており、図示を省略した照明装置からの照明光が照射されることで点灯動作して画像を表示する。制御部３は、ＣＰＵやＭＰＵなどを用いて構成されており、上記装置本体側の各部の駆動制御を行うように構成されている。また、記憶部４には、制御部３で使用されるプログラムのデータ等が保持されている。受信部５は、リモートコントローラ１１からのユーザの指示操作に対応した指示信号を受信して、制御部３に出力する。
【００３４】
電源ボタン６は、電源部としての主電源回路７をオン／オフ操作する操作部に含まれたものであり、液晶表示装置１の動作状態をオン状態またはオフ状態に切り換えるためのスイッチを構成している。つまり、この電源ボタン６は、ユーザにより押動操作されることで、主電源回路７の動作状態をオン状態及びオフ状態のいずれか一方の状態に、かつ、交互に切り換えるように構成されており、上記装置本体各部への電力供給を許容または停止するようになっている。
【００３５】
音声ＩＣ８は、装置本体に内蔵されたスピーカ９とともに、主電源回路７のオン操作が電源ボタン６またはリモートコントローラ１１を介して指示されたときに、液晶パネル２が起動操作されたことを外部に通知する通知部として機能するものであり、当該通知部に含まれた音声出力部を構成している。具体的にいえば、音声ＩＣ８には、「ピッ」や「カチッ」などの所定の電子音、ＣＲＴのオン動作時と同様の音、あるいは「点灯シマシタ」などの所定のメッセージを含んだ通知用の音声データが保持されている。そして、音声ＩＣ８は、電源ボタン６がオン操作されたり、リモートコントローラ１１からのオン（駆動）信号が受信部５にて受信されたりすると、上記通知用音声データをスピーカ９に出力して、スピーカ９から対応する音声が外部に発せられる。
【００３６】
また、音声ＩＣ８及びスピーカ９による音声出力動作では、例えば装置本体に設けられた設定登録部１０にてオン／オフ設定や発生音声の選択等が行えるようになっており、ユーザが必要に応じて適宜変更することができるようになっている。つまり、設定登録部１０は、上記音声出力部で出力される音声データを記憶する記憶部としての音声ＩＣ８に対し、音声データを登録する登録部を構成しており、この設定登録部１０には、外部から音を入力して、音声データとして音声ＩＣ８に出力するマイク等の集音部材が含まれている。
【００３７】
また、設定登録部１０は、上記登録部と、音声出力部での音声出力動作を設定する設定部とを一体的に構成したものであり、この設定登録部１０には、ユーザの選択操作を入力（設定）可能な設定ボタンなどの設定部材や設定部材の操作に応じて設定画面を液晶パネル２上に表示する機能などが含まれている。そして、この設定登録部１０では、ユーザの選択操作に応じて、複数の音声データが保持された音声ＩＣ８に対し、ユーザが少なくとも１つ以上の音声データを選んでスピーカ９から通知用音声として出力することできるようになっている。
【００３８】
以上のように構成された本実施形態では、電源ボタン（操作部）６またはリモートコントローラ（操作部）１１により、主電源回路（電源部）７のオン操作が指示されたときに、液晶パネル（表示部）２が起動操作されたことを示す通知用音声が、音声ＩＣ（音声出力部）８及びスピーカ（音声出力部）９から外部に出力される。これにより、本実施形態では、上記従来例と異なり、液晶パネル２に対する起動操作が行われたことをユーザに即座に認識させることができる。この結果、ユーザが、液晶パネル２が起動していないと誤って判断するのを未然に防ぐことができ、電源ボタン６またはリモートコントローラ１１に対するオン／オフ操作が繰り返し行われるのを防止することができる。従って、ユーザによる誤操作を防ぐことができ、液晶パネル２を正常に点灯動作させることができる。
【００３９】
また、上記のように、本実施形態では、ユーザの誤判断及び誤操作を防ぎつつ、液晶パネル２の点灯動作を正常に行わせることができるので、液晶表示装置１の製品イメージが損なわれるのを防止することができる。さらに、スピーカ９からＣＲＴのオン動作時と同様の音を出力させる場合には、在来のＣＲＴディスプレイに慣れたユーザに対しても、液晶パネル２に対する起動操作が行われたことを当該ユーザに即座に認識させて、ユーザによる誤操作を防ぐことができる。
【００４０】
また、本実施形態では、設定登録部１０により、音声ＩＣ８で記憶される通知用音声データを登録するとともに、スピーカ９から出力される音声データを選択可能に構成されているので、音声出力部（通知部）は、ユーザが嗜好する音声データ、例えば配偶者の声、芸能人などの有名人の声、あるいは好きな起動音をユーザの選択操作に応じて通知用音声として出力させることができる。この結果、ユーザが嗜好する音声データにより、液晶パネル２の起動操作が行われたことをユーザに認識させることができ、ユーザの誤判断及び誤操作をより確実に防ぐことが可能となる。また、設定登録部１０により、複数の通知用音声を選んで、連続的にスピーカ９から再生させることもできる。
【００４１】
［第２の実施形態］
図２は、本発明の第２の実施形態にかかる表示装置に設けられたリモートコントローラの要部構成を説明するブロック図である。図において、本実施形態と上記第１の実施形態との主な相違点は、リモートコントローラに通知部を設けた点である。なお、上記第１の実施形態と共通する要素については、同じ符号を付して、その重複した説明を省略する。
【００４２】
すなわち、図２に示すように、本実施形態のリモートコントローラ２０には、装置本体側の受信部５（図１）にユーザの指示操作に対応した上記指示信号を送信する送信部２１と、液晶表示装置１（図１）の駆動、チャンネル指示、音量変更などのユーザが操作可能な各種の操作ボタン２２とが設けられている。また、操作ボタン２２には、上記電源ボタン６（図１）と同一の機能を有するオン／オフボタン２３が含まれている。つまり、ユーザがオン／オフボタン２３を押動動作することにより、主電源回路７（図１）の動作状態がオン状態及びオフ状態のいずれか一方の状態に、かつ、交互に切り換えられる。
【００４３】
また、リモートコントローラ２０には、当該リモートコントローラ２０の各部を制御する制御部としてのＣＰＵ２４と、ＣＰＵ２４で用いられるデータなどを記憶したメモリ２５と、外部に音声を発生するスピーカ２６とが設けられている。これらのＣＰＵ２４、メモリ２５、及びスピーカ２６は、リモートコントローラ２０側に設けられた音声出力部を構成するものであり、オン／オフボタン２３により、主電源回路７のオン操作が指示されたときに、液晶パネル２（図１）が起動操作されたことを示す通知用音声を出力して、外部に向かって通報するようになっている。詳細には、上記オン操作が指示されると、ＣＰＵ２４は、メモリ２５に保持されている通知用音声データをスピーカ２６から外部に出力させるようになっている。
【００４４】
さらに、リモートコントローラ２０には、上記通知部に含まれた振動部としての振動用モータ２７及び前記モータ２７により駆動される振動子２８が設置されており、ＣＰＵ２４は、スピーカ２６からの通知用音声の出力動作と同様に、上記オン操作が指示されたときに、振動用モータ２７により振動子２８を駆動させて、ユーザに液晶パネル２が起動操作されたこと知らせるように構成されている。
【００４５】
また、リモートコントローラ２０には、スピーカ２６からの音声出力動作及び振動子２８での振動動作の各々の動作を登録設定する設定登録部２９が設けられている。つまり、この設定登録部２９は、第１の実施形態のものと同様に、記録部としてのメモリ２５に対し、音声データを登録する登録部を構成するものであり、この設定登録部２９には、外部から音を入力して、音声データとしてメモリ２５に出力するマイク等の集音部材が含まれている。
【００４６】
また、設定登録部２９は、上記登録部と、音声出力部での音声出力動作及び振動部での振動動作を設定する設定部とを一体的に構成したものであり、この設定登録部２９には、ユーザの選択操作を入力（設定）可能な設定ボタンなどの設定部材や設定部材の操作に応じて設定画面を液晶パネル２上に表示する機能などが含まれている。そして、この設定登録部２９では、音声出力部及び振動部の各々に対して、オン／オフ設定、発生音声あるいは振動形態の選択等が行えるようになっており、ユーザが必要に応じて適宜変更することができるようになっている。
【００４７】
以上の構成により、本実施形態では、上記第１の実施形態と同様に、液晶パネル２に対する起動操作が行われたことをユーザに即座に認識させて、ユーザの誤判断及び誤操作を防ぎつつ、液晶パネル２の点灯動作を正常に行わせることができる。また、本実施形態では、ユーザの手許で操作されるリモートコントローラ２０にスピーカ（音声出力部）２６及び振動子（振動部）２８を設けているので、ユーザが携帯可能であって、ユーザのより近くに設置することができる上記通知部を構成することができる。従って、ユーザが液晶表示装置１から離れているときでも、液晶パネル２の起動操作が行われたことをユーザに確実に認識させて、ユーザの誤操作をさらに未然に防ぐことができる。
【００４８】
また、本実施形態では、振動子２８の振動動作を用いて通知しているので、ユーザに対し聴覚的だけでなく、視覚的、触覚的に液晶パネル２の起動操作が行われたことを知らしめることが可能となり、上記起動操作の実施をユーザにより確実に認識させることができる。
【００４９】
［第３の実施形態］
図３は、本発明の第３の実施形態にかかる表示装置の要部構成を説明する図である。図において、本実施形態と上記第１及び第２の実施形態との主な相違点は、電源部の動作状態を検出する検出部を設けるとともに、通知部が検出部の検出結果を基に表示部の動作状態を外部に通知するように構成されている点である。なお、上記実施形態と共通する要素については、同じ符号を付して、その重複した説明を省略する。
【００５０】
すなわち、本実施形態の液晶表示装置１２では、制御部３は電源ボタン６へのオン操作に応じて主電源回路７から液晶パネル２への電源供給が実際に行われたことを検出可能に構成されている。つまり、制御部３には、液晶パネル２が電源供給によって点灯動作したときに、液晶パネル２から起動確認信号が入力されるようになっており、制御部３が主電源回路７の動作状態（電源供給）を検出する検出部として機能するようになっている。また、制御部３は、上記起動確認信号を入力すると、音声ＩＣ８に対し動作信号を出力し、当該音声ＩＣ８に格納されている、「表示シマシタ」などの所定のメッセージを含んだ液晶パネル２の動作（点灯）状態を示す通知用の音声データをスピーカ９から出力させるようになっている。
【００５１】
また、液晶表示装置１２には、リモートコントローラ３０側に設けられた送受信部３１と双方向のデータ通信を行える送受信部１３が設けられており、制御部３が検出した主電源回路７の動作状態をリモートコントローラ側に伝達するように構成されている。これにより、制御部３にて検出された主電源回路７から液晶パネル２に電源供給が行われ、当該液晶パネル２が実際に点灯動作したときに、リモートコントローラ３０側に設けたスピーカ２６や振動子２８により、液晶パネル２の実際の動作（点灯）状態をユーザに認識させることができる。
【００５２】
また、上記のように装置本体とリモートコントローラ３０との間が、双方向通信可能に構成されているので、これらの装置本体及びリモートコントローラ３０の一方に設けた電源ボタン６またはオン／オフボタン２３に対して主電源回路７のオン操作が指示されたときに、装置本体及びリモートコントローラ３０の一方または双方に設けた上記通知部により、液晶パネル２が起動操作されたことを外部に通知させることもできる。尚、この説明以外に、制御部３が主電源回路７からの電力供給が実際に行われたことを検出した後に、例えばスピーカ９にて液晶パネル２が起動操作されたことを示す音声を再生する構成でもよい。
【００５３】
以上の構成により、本実施形態では、上記第１及び第２の実施形態と同様に、液晶パネル（表示部）２に対する起動操作が行われたことをユーザに即座に認識させて、ユーザの誤判断及び誤操作を防ぎつつ、液晶パネル２の点灯動作を正常に行わせることができる。また、制御部（検出部）３が主電源回路（電源部）７の動作状態を検出するとともに、通知部が制御部３の検出結果を基に液晶パネル２の動作（点灯）状態を外部に通知可能に構成されているので、液晶パネル２での実際の点灯動作をユーザに認識させて、ユーザによる誤操作をさらに確実に防ぐことが可能となる。
【００５４】
尚、上記の説明では、本発明を液晶表示装置に適用した場合について説明したが、本発明はフラットな表示部を備えた表示装置において、電源部をオン／オフ操作する操作部と、操作部に対して電源部のオン操作が指示されたときに、表示部が起動操作されたことを外部に通知する通知部を設けたものであれば何等限定されない。
【００５５】
また、上記の説明では、電源部に対するオン操作が指示されたときに、通知部が表示部に対する起動操作が行われたことを外部に通知する構成について説明したが、本発明はこれに限定されるものではなく、電源部のオフ操作が操作部を介して指示されたときに、表示部が停止操作されたことを通知部が外部に通知する構成でもよい。このように構成した場合、電源部に対するオフ操作が指示されたときに、通知部により、表示部に対する停止操作の実施が外部に通知されるので、停止操作が行われたことをユーザに即座に認識させて、ユーザによる誤操作を防ぐことができる。また、検出部が電源部のオフ状態（電源供給の停止）を検出して、通知部が検出部の当該検出結果を基に表示部の停止状態を外部に通知する構成でもよい。
【００５６】
また、本発明には、上記のような通知部が設けられているので、ＣＲＴディスプレイなどと異なり、無音で起動動作または停止動作を行える表示部を備えた各種表示装置に適用することができ、これらの各表示装置において、本発明は、ユーザの誤判断及びそれに伴う誤操作を防止することができる。すなわち、本発明は、上記液晶パネル以外に、プラズマディスプレイパネル（ＰＤＰ）、表面電界ディスプレイ（ＳＥＤ）パネル、エレクトロルミネンス（ＥＬ）パネル、及びプロジェクションパネル（リアプロジェクション型の投写型表示装置に使用されるものを含む。）のいずれかのパネルを表示部に用いた表示装置に好適に用いることができる。また、上記の説明以外に、例えば液晶層を狭持する一対の基板を、可撓性を有する樹脂材により構成して、湾曲可能な液晶パネルを有する液晶表示装置にも適用することができる。
【００５７】
また、上記の説明では、登録部と設定部とを一体的に構成した設定登録部を用いた構成について説明したが、本発明はこれに限定されるものではなく、登録部と設定部とを別個に構成したものでもよい。また、上記の説明以外に、例えば液晶表示装置に接続されるインターネット回線等の有線方式のデータ通信や当該液晶表示装置が受信可能なデジタル放送などの無線方式のデータ通信を用いて、上記音声出力部から出力される音声データを記憶部に登録させることもできる。
【００５８】
また、上記第１の実施形態の説明では、装置本体の内部に音声ＩＣを設け、当該音声ＩＣと表示装置固有のスピーカとで通知部を構成した場合について説明したが、本発明の通知部はこれに限定されるものではなく、第２及び第３の各実施形態のものと同様に、制御部及び記憶部を通知部に含めて構成して、制御部が記憶部に予め記憶されている通知用音声データをスピーカから発声させることもできる。
【００５９】
また、上記第２及び第３の各実施形態の説明では、音声出力部に含まれたスピーカと振動子及び振動用モータとを含んだ振動部とを別個に構成した場合について説明したが、音声出力部と振動部とを一体的に構成した通知部を使用することもできる。具体的には、例えばボイスコイルを用いて通知部を構成して、当該ボイスコイルへの電気（駆動）信号の周波数を変えることにより、音声を発生させたり、振動を生じさせたりし、表示部に対する起動操作が行われたことをユーザに認識させてもよい。
【００６０】
また、上記の説明以外に、リモートコントローラに数字、文字等を表示可能な表示部を設けて通知部として機能させたり、ランプ等の発光部を通知部に含めて構成したりすることもできる。
【図面の簡単な説明】
【００６１】
【図１】本発明の第１の実施形態にかかる表示装置の要部構成を説明するブロック図である。
【図２】本発明の第２の実施形態にかかる表示装置に設けられたリモートコントローラの要部構成を説明するブロック図である。
【図３】本発明の第３の実施形態にかかる表示装置の要部構成を説明する図である。
【符号の説明】
【００６２】
１、１２    液晶表示装置
２    液晶パネル（表示部）
３    制御部（通知部、検出部）
４    記憶部（通知部）
６    電源ボタン（操作部）
７    主電源回路（電源部）
８    音声ＩＣ（通知部、音声出力部）
９、２６    スピーカ（通知部、音声出力部）
１０、２９  設定登録部
１１、２０、３０    リモートコントローラ（操作部）
２３    オン／オフボタン（操作部）
２４    ＣＰＵ（通知部）
２５    メモリ（通知部）
２７    振動用モータ（通知部、振動部）
２８    振動子（通知部、振動部）
【図１】
2007058063.tif 000003
【図２】
2007058063.tif 000004
【図３】
2007058063.tif 000005